(57)【要約】【課題】居住者の趣味や価値観を映し出すことができ、なおかつ、限られたスペースでも対応可能なエントランスポールを提供すること。【解決手段】表札１１と郵便受け１２とインターホン１３とモニター１４とを備えるエントランスポール１であって、モニター１４では、予め保存された画像または映像が映し出されることを特徴とする。また、住宅内に備えた操作部を操作することにより、モニター１４に画像または映像を映し出すことが好ましい。【選択図】図１
2010281071.tif 000002
【特許請求の範囲】
【請求項１】
表札と郵便受けとインターホンとモニターとを備えるエントランスポールであって、
前記モニターでは、予め保存された画像または映像が映し出されることを特徴とするエントランスポール。
【請求項２】
住宅内に備えた操作部を操作することにより、前記モニターに画像または映像を映し出されることを特徴とする請求項１に記載のエントランスポール。
【請求項３】
前記インターホンにはカメラが搭載されており、前記カメラは来訪者を撮影し、
前記モニターでは、前記カメラで撮影した来訪者がさらに映し出されることを特徴とする請求項１に記載のエントランスポール。
【請求項４】
前記モニターでは、住宅に設置された太陽光発電システムによる電力発電情報がさらに映し出されることを特徴とする請求項１乃至請求項３いずれかに記載のエントランスポール。
【発明の詳細な説明】
【技術分野】
【０００１】
本発明は、住宅などの玄関先や庭先などに配置されるエントランスポールに関する。
【背景技術】
【０００２】
住宅などの玄関先や庭先などには、表札などを備えたエントランスポールが配置されている。また、表札の他に、インターホンや照明ランプ、郵便受けなどが配置されているエントランスポールが知られている。従来、上述のものの他に、プランターを設置することができるエントランスポールが提案されている（例えば、特許文献１など）。
【０００３】
ところで、エントランスポールは、例えば一戸建て住宅のように、門柱や門扉、フェンスなどによって外構の周囲を囲っていない住宅の玄関先や庭先に設置するための建造物として適している。また、例えば集合住宅のように、外開きドアの開閉時における安全性の向上と居住者に一戸建て住宅の感覚とを与える目的などから、エントランスポールは用いられている。
【先行技術文献】
【特許文献】
【０００４】
【特許文献１】特開平１１−２０６５３４号公報
【発明の概要】
【発明が解決しようとする課題】
【０００５】
しかしながら、一般的にエントランスポールは外観上共通したものが多く、居住者の趣味や価値観を映し出すことが困難である。エントランスポールはいわゆる住宅の顔となるべきものであるため、居住者の趣味や価値観を映し出せるようなエントランスポールが要求されている。そこで、特許文献１ではプランターを設置することができるエントランスポールが提案されているものの、ガーデニングなどを趣味とする一部の者にとってのみに適用できる構成である。また、特許文献１の構成ではプランターを設置するスペースが必要となり、例えば、集合住宅のように玄関先のスペースが限られている場合に適用することが困難である。
【０００６】
本発明は、上記問題を解決するためになされたもので、居住者の趣味や価値観を映し出すことができ、なおかつ、限られたスペースでも対応可能なエントランスポールを提供することを目的とする。
【課題を解決するための手段】
【０００７】
上記課題を解決するために、本発明は、表札と郵便受けとインターホンとモニターとを備えるエントランスポールであって、モニターでは、予め保存された画像または映像が映し出される構成とする。
【０００８】
また、本発明のエントランスポールは、住宅内に備えた操作部を操作することにより、モニターに画像または映像を映し出されることが好ましい。
【０００９】
また、本発明のエントランスポールは、インターホンにはカメラが搭載されており、カメラは来訪者を撮影し、モニターでは、カメラで撮影した来訪者がさらに映し出されることが好ましい。
【００１０】
また、本発明のエントランスポールは、モニターでは、住宅に設置された太陽光発電システムの電力発電情報がさらに映し出されることが好ましい。
【発明の効果】
【００１１】
本発明のエントランスポールは、モニターを備え、モニターでは予め保存された画像または映像を映し出されるため、エントランスポールに居住者の趣味や価値観を映し出すことができる。また、モニターを用いているため省スペースが実現できる。
【００１２】
また、住宅内に備えた操作部を操作することによりモニターに画像または映像を映し出される場合には、操作が簡単であり取り扱いが容易である。
【００１３】
また、インターホンにはカメラが搭載されており、カメラは来訪者を撮影し、モニターではさらにカメラで撮影した来訪者が映し出される場合には、防犯対策となる。
【００１４】
また、モニターではさらに住宅に設置された太陽光発電システムの電力発電情報が映し出される場合には、居住者の環境に対する貢献度合いや意識をエントランスポールによって表現することができる。
【図面の簡単な説明】
【００１５】
【図１】本発明の第１の実施形態に係るエントランスポールの斜視図である。
【図２】本発明の第１の実施形態の他の例に係るエントランスポールに備わるモニターに映し出される画像の一例である。
【図３】本発明の第２の実施形態に係るエントランスポールの斜視図である。
【発明を実施するための形態】
【００１６】
以下、本発明の実施形態に係るエントランスポールを、図面を参照して説明する。
【００１７】
（第１の実施形態）
図１は第１の実施形態に係るエントランスポール１を示す。エントランスポール１は、表札１１と郵便受け１２とインターホン１３とモニター１４とを備える。
【００１８】
表札１１はエントランスポール１の上方に配置されている。表札１１の下方には、郵便受け１２と連通した郵便投入口１２ａが配置されている。インターホン１３は、表札１１の隣に配置されている。また、インターホン１３にはカメラ１３ａが搭載されており、呼び出しボタン１３ｂを有している。
【００１９】
モニター１４は、郵便投入口１２ａの下方に配置されている。モニター１４は、エントランスポール１の正面側で中程に配置されている。モニター１４は、来訪者や通行人にとって見易い位置に配置されていればよい。また、モニター１４の大きさは、エントランスポール１の幅方向いっぱいである。モニター１４の大きさは、モニター１４に映し出される画像または映像を来訪者や通行人が認識できる大きさであればよい。
【００２０】
なお、モニター１４の位置や大きさはこれらに限られず、例えば、モニター１４がエントランスポール１の側面側に配置されていたり、郵便投入口１２ａの下方いっぱいの大きさのモニター１４が配置されていたりしてもよい。モニター１４の配置方法やモニター１４の大きさは、来訪者や通行人にとって、モニター１４に映し出される画像または映像が見易く認識できるものであればよい。
【００２１】
また、モニター１４の後方には、郵便受け１２が配置されている。そして、モニター１４と住宅内に備える操作部としてのパソコン１５とが有線により繋げられている。
【００２２】
パソコン１５を操作することにより、パソコン１５内に予め保存されている画像または映像をモニター１４に映し出すことができる。
【００２３】
また、インターホン１３に備えた呼び出しボタン１３ｂを来訪者が押した場合には、インターホン１３に搭載されたカメラ１３ａにより来訪者が撮影される。そして、モニター１４に映し出されていた画像または映像と来訪者の撮影映像とが自動的に切り替えられ、モニター１４に来訪者の撮影映像が映し出される。映し出された撮影映像は、タイマーにより所定の時間だけモニター１４に映し出される。また、来訪者の撮影映像は、モニター１４に映し出されると同時に住宅内のインターホン親機に備わった親機モニターにも映し出される。
【００２４】
このように、モニター１４では、住宅内のパソコン１５に予め保存されている画像または映像を映し出すことができるため、エントランスポール１に居住者の趣味や価値観を映し出すことができる。よって、エントランスポール１により居住者の個性を表現することができる。また、モニター１４を用いているため省スペースが実現できる。よって、例えば集合住宅のように玄関先のスペースが限られている場合にでも適用することが可能となる。
【００２５】
また、モニター１４が来訪者や通行人にとって見易い位置に配置され、モニター１４の大きさが来訪者や通行人にとって認識しやすいものであるため、来訪者や通行人に向けて効果的に居住者の趣味や価値観を映し出すことができる。
【００２６】
また、モニター１４に映し出す画像または映像を住宅内にある操作部としてのパソコン１５により操作することができることで、例えばモニター１４に映し出す画像または映像を簡単に切り替えることができるため取り扱いが容易である。また、来訪者が現れた場合にはモニター１４に来訪者が映し出されることにより、防犯対策となる。
【００２７】
また、郵便受け１２の後方に位置するようにモニター１４が配置されていることにより、省スペースとなりエントランスポール１が大型となることを防ぐことができる。
【００２８】
なお、住宅に太陽光発電システムが設置されている場合には、住宅内に備えられた太陽光発電用屋内モニターとエントランスポール１に備えられたモニター１４とが繋げられることにより、図２に示すような電力発電情報をモニター１４に映し出すことができる。このときは、太陽光発電用屋内モニターを操作部として操作すればよい。
【００２９】
モニター１４に映し出す画像または映像として、住宅に設置された太陽光発電システムによる電力発電情報を映し出すことにより、居住者の環境に対する貢献度合いや意識をエントランスポール１によって表現することができる。よって、エントランスポール１により居住者の個性を表現することができる。
【００３０】
なお、上記の実施形態では、モニター１４と住宅内の操作部としてのパソコン１５とが有線により繋げられているが、これに限られることはなく、例えば無線により繋げられていてもよい。
【００３１】
（第２の実施形態）
以下に述べる第２の実施形態では、上述した第１の実施形態と同様の構成については同一符号を付して詳しい説明を省略し、相違する構成について詳述する。
【００３２】
図３は第２の実施形態に係るエントランスポール１を示す。エントランスポール１は、表札１１と郵便受け１２とインターホン１３とモニター１４とを備える。
【００３３】
エントランスポール１には記録メディア差込口２１が備わっている。また、モニター１４はタッチパネル機能を備えている。
【００３４】
記録メディア差込口２１に記録メディアが差し込まれると、記録メディア内に保存されている画像または映像の情報を読み込みモニター１４に映し出される。モニター１４はタッチパネル機能を備えているため、保存されたどの画像または映像をモニター１４に映し出すかをモニター１４上で選択することができる。そして、記録メディア内に保存された画像または映像はモニター１４に映し出される。
【００３５】
このように、モニター１４では記録メディア内に予め保存されている画像または映像を映し出すことができるため、エントランスポール１に居住者の趣味や価値観を映し出すことができる。よって、エントランスポール１により居住者の個性を表現することができる。また、モニター１４を用いているため省スペースが実現できる。よって、例えば集合住宅のように玄関先のスペースが限られている場合にでも適用することが可能となる。
【００３６】
また、記録メディア内に保存された画像または映像をモニター１４にて映し出すことができるため、例えばパソコンなどの映像を保存しておく機器を別途必要としないため、簡単な構成とすることができる。また、例えば有線によりモニター１４と住宅内の操作部とを繋げることが困難な場合であっても適用することができる。
【００３７】
以上、各実施形態を説明したが、本発明は、上述の構成に限られることなく発明の要旨を変更しない範囲で種々の変形が可能である。例えば、上述した各実施形態の構成を互いに組み合わせた構成とすることができる。
【符号の説明】
【００３８】
１  エントランスポール
１１  表札
１２  郵便受け
１２ａ  郵便投入口
１３  インターホン
１３ａ  カメラ
１３ｂ  呼び出しボタン
１４  モニター
１５  操作部（パソコン）
２１  記録メディア差込口
【図１】
2010281071.tif 000003
【図２】
2010281071.tif 000004
【図３】
2010281071.tif 000005